(57)【要約】【課題】本発明の梱包用台座（２）によれば、落下せしめられた際においても被梱包体とコーナーパッド（６）と緩衝材（１２）との位置関係が確実に保持される。【解決手段】梱包用台座はトレイ（４）と、トレイの四つの角隅の各々に載置されるコーナーパッドと、角隅の各々に載置されたコーナーパッドの間に配置される、少なくとも一つの開口部（８）を有する規制部材（１０）と、コーナーパッドの間に配置された規制部材における開口部に配置される緩衝材（１２）とを備えている。規制部材の四つの角部にはコーナーパッドの夫々がトレイに対して動くことを規制する切欠部（３２）と、コーナーパッドの夫々に連結せしめられる連結手段（３４、３６）とが形成されている。【選択図】        図１
2004244049.tif 000002
【特許請求の範囲】
【請求項１】
被梱包体を梱包する際に使用される梱包用台座にして、
トレイと、該トレイの四つの角隅の各々に載置されるコーナーパッドと、該角隅の各々に載置された該コーナーパッドの間に配置される、少なくとも一つの開口部を有する規制部材と、該コーナーパッドの間に配置された該規制部材における該開口部に配置される緩衝材とを備え、
該規制部材の四つの角部には該コーナーパッドの夫々が該トレイに対して動くことを規制する切欠部と、該コーナーパッドの夫々に連結せしめられる連結手段とが形成されている、
ことを特徴とする梱包用台座。
【請求項２】
該コーナーパッドは少なくとも一つの筒状部を有し、該連結手段の先端部は屈曲部を有する帯形状であり、該連結手段の先端部を該筒状部に挿入せしめると、該連結手段の最先端が該筒状部に当接せしめられ該連結手段が該コーナーパッドに連結せしめられる、請求項１記載の梱包用台座。
【請求項３】
該緩衝材が該規制部材の該開口内に配置せしめられた状態においては、該開口部の上端は該緩衝材の略中央部に位置せしめられている、請求項１及び２記載の梱包用台座。
【発明の詳細な説明】
【０００１】
【発明が属する技術分野】
本発明はファクシミリ、プリンタ等の大型の被梱包体を梱包する際に使用される梱包用台座に関する。
【従来の技術】
周知の如く、ファクシミリ、プリンタ等の大型の被梱包体を梱包する際には梱包用台座が用いられている。かかる梱包用台座にはファクシミリ、プリンタ等が載置され、これに上方から下面が開放されている箱状のカバーケースを被せて梱包する方法が一般的に行われている。かような梱包用台座を開示している先行文献の典型としては、下記特許文献１を挙げることができる。
【０００２】
【特許文献１】
特開２００１−１４６２７２
【０００３】
【発明が解決しようとする課題】
上記特開２００１−１４６２７２公報に開示されている梱包用台座は、トレイと、トレイの四つの角隅の各々に載置されるコーナーパッドと、角隅の各々に載置されたコーナーパッドの間に配置される緩衝材とを備えており、緩衝材の四つの角部にはコーナーパッドの夫々がトレイに対して動くことを規制する切欠部が形成されている。
【０００４】
しかしながら、カバーケース及び梱包用台座によって梱包された被梱包体が何らかの偶発的事由により落下せしめられた際に、コーナーパッドが変形せしめられと、かかる変形に起因して緩衝材の切欠部がコーナーパッドから離脱せしめられてしまい、被梱包体とコーナーパッドと緩衝材との位置関係が維持されない虞がある。
【０００５】
本発明は上述した事実に鑑みてなされたものであり、その主たる技術課題は、落下せしめられた際においても被梱包体とコーナーパッドと緩衝材との位置関係が確実に維持される、新規且つ改良された梱包用台座を提供することである。
【０００６】
【課題を解決するための手段】
本発明によれば、被梱包体を梱包する際に使用される梱包用台座にして、
トレイと、該トレイの四つの角隅の各々に載置されるコーナーパッドと、該角隅の各々に載置された該コーナーパッドの間に配置される、少なくとも一つの開口部を有する規制部材と、該コーナーパッドの間に配置された該規制部材における該開口部に配置される緩衝材とを備え、
該規制部材の四つの角部には該コーナーパッドの夫々が該トレイに対して動くことを規制する切欠部と、該コーナーパッドの夫々に連結せしめられる連結手段とが形成されている、
ことを特徴とする梱包用台座が提供される。
【０００７】
該コーナーパッドは少なくとも一つの筒状部を有し、該連結手段の先端部は屈曲部を有する帯形状であり、該連結手段の先端部を該筒状部に挿入せしめると、該連結手段の最先端が該筒状部に当接せしめられ該連結手段が該コーナーパッドに連結せしめられるのが好適である。該緩衝材が該規制部材の該開口内に配置せしめられた状態においては、該開口部の上端は該緩衝材の略中央部に位置せしめられているのが好ましい。
【０００８】
【発明の実施形態】
以下、本発明に従って構成された梱包用台座の好適実施形態を図示している添付図面を参照して、更に詳細に説明する。
【０００９】
図１乃至図３には、本発明に従って構成された梱包用台座の好適実施形態が図示されている。図１及び図２を比較参照すれば理解されるとおり、本発明の梱包用台座２はトレイ４と、トレイ４の四つの角隅の各々に載置されるコーナーパッド６と、角隅の各々に載置されたコーナーパッド６の間に配置される、少なくとも一つ（図示の場合においては２つ）の開口部８を有する規制部材１０と、コーナーパッド６の間に配置された規制部材１０における開口部８に配置される緩衝材１２とを備えている。
【００１０】
厚紙或いは段ボールによって構成することができる矩形状のトレイ４は、図示の実施形態においては矩形状底壁１４と、底壁１４の長手方向の各縁辺から延びる長側壁１６及び１８と、長手方向と直交する方向の各縁辺から延びる短側壁２０及び２２とから構成されている。長側壁１６及び１８と、短側壁２０及び２２とは底壁１４に対して直角に上方に折り曲げられており、長側壁１６の両端に位置する連結部２４が短側壁２０及び２２の両端部に適宜の手段によって連結せしめられている。
【００１１】
帯状の厚紙或いは段ボールを折り曲げて形成することができるコーナーパッド６は、図示の実施形態においては一対の筒状部２６及び２８を有している。かかる筒状部２６及び２８は角筒形状であり、筒状部２６はその一側壁が筒状部２８の一側壁の一部と積重せしめ接着せしめられており、筒状部２８の一側壁の残部は筒状部２６の一端から延出せしめられている。かように構成されたコーナーパッド６における筒状部２６及び２８には後に詳述する、規制部材１０の連結手段が連結せしめられる。
【００１２】
図示の実施形態における緩衝材１２は角柱形状であり、厚紙、段ボール、発泡ポリスチレン或いは発砲ウレタンなどから構成することができる。かかる緩衝材１２の水平方向の断面は上記規制部材１０の開口部８と実質上同一である。
【００１３】
厚紙或いは段ボールによって構成することができる略矩形状の規制部材１０は、短辺１０ａ及び１０ｂと、長辺１０ｃ及び１０ｄとから構成されている。かように構成される規制部材１０には、その四つの角部の全てに上記コーナーパッド６の角隅に対応する切欠部３２が形成されている。かかる切欠部３２の縁は短辺１０ａ及び１０ｂの両端から長手方向に延びる縁辺３２ａと、縁辺３２ａの片端から長手方向に直行する方向に延びる縁辺３２ｂと、縁辺３２ｂの片端から長手方向に延びる縁辺３２ｃと、縁辺３２ｃの片端から長辺１０ｃ及び１０ｄの片端まで長手方向に直交する方向に延びる縁辺３２ｄとから構成されている。切欠部３２の縁辺３２ｂの夫々からは帯状の連結手段３４が延びており、切欠部３２の縁辺３２ｃの夫々からも帯状の連結手段３６が延びている。図示の実施形態においては、連結手段３４及び３６は縁辺３２ｂ及び３２ｃから上方に折り曲げられ、次いで下方に折り曲げられており、その先端部は屈曲部３８から上方に折り曲けられている。また、図示の実施形態における規制部材１０に形成されている開口部８は長手方向に直行する方向に間隔をおいて一対形成されており、夫々長手方向に延びている。更に、図示の実施形態における規制部材１０には一対の開口部８の間に長手方向に直交する方向に間隔をおいて一対の切込辺３９ａ及び３９ｂと、かかる切込辺３９ａ及び３９ｂの両端から長手方向に延びる切込辺４０ａ及び４０ｂとが形成され、切込辺４０ａの両自由端と短辺１０ａとの間を長手方向に直交する方向に延びるスリット４２ａと、切込辺４０ｂの両自由端と短辺１０ｂとの間を長手方向に直交する方向に延びるスリット４２ｂとが形成されている。切込辺３９ａ及び４０ａと切込辺４０ａの両自由端を結ぶ直線とで囲まれた領域は切込辺４０ａの両自由端を結ぶ直線から下方に折り曲げられ、次いで略中央部において上方に折り曲げられ、先端部がスリット４２ａに指し込まれている。また、切込辺３９ｂ及び４０ｂと切込辺４０ｂの両自由端を結ぶ直線とで囲まれた領域は切込辺４０ｂの両自由端を結ぶ直線から下方に折り曲げられ、次いで略中央部において上方に折り曲げられ、先端部がスリット４２ｂに指し込まれている。これによって規制部材１０の下面には脚部４４ａ及び４４ｂが形成されている。
【００１４】
上述されたように構成されたトレイ４と、コーナーパッド６と、規制部材１０と、緩衝材１２とを組み合わせる際には、トレイ４の四つの角隅の夫々にコーナーパッド６を載置し、次いでコーナーパッド６を載置したトレイ４の上方から規制部材１０を下降せしめて、コーナーパッド６の角隅に規制部材１０の切欠部３２を配置せしめる。かくするとトレイ４に載置されたコーナーパッド６の夫々はトレイ４に対して動くことが規制される。しかる後においては、連結手段３４の先端部をコーナーパッド６の筒状部２６内に挿入せしめると共に、連結手段３６の先端部をコーナーパッド６の筒状部２８内に挿入せしめると、連結手段３４の最先端が筒状部２６の内面に当接せしめられると共に、連結手段３６の最先端が筒状部２８の内面に当接せしめられ、これによって規制部材１０はトレイ４に載置されたコーナーパッド６の夫々と連結せしめられる。その後、規制部材１０の開口部８内に緩衝材１２を配置せしめる。緩衝材１２が開口部８内に配置せしめられた状態においては、開口部８の上端は規制部材１０が脚部４４ａ及び４４ｂを有するが故に緩衝剤１２の略中央部に位置せしめられている。
【００１５】
トレイ４と、コーナーパッド６と、規制部材１０と、緩衝材１２とが梱包用台座２に組み合された後においては、かかる梱包用台座２にファクシミリ、プリンタ等の大型の被梱包体４６を図３に図示するとおり載置し、これに上方から下面が開放されている箱状のカパーケース（図示していない）を被せて梱包する。かくして被梱包体４６は梱包される。かように梱包された被梱包体４６が何らかの偶発的事由により落下せしめられ、コーナーパッド６が変形せしめられても、本発明の梱包用台座２においては、規制部材１０が連結手段３４及び３６によってコーナーパッド６の夫々に連結せしめられているが故に、規制部材１０の切欠部３２がコーナーパッド６の隅角部から離脱せしめることはなく、被梱包体４６とコーナーパッド６と緩衝材１２との位置関係が確実に保持される。
【００１６】
【発明の効果】
本発明によれば、落下せしめられた際においても被梱包体とコーナーパッドと緩衝材との位置関係が確実に保持される。
【図面の簡単な説明】
【図１】本発明にかかる梱包用台座の好適実施形態を分解した状態を示す分解斜視図。
【図２】図１に示す梱包用台座の組み合わせた状態を示す斜視図。
【図３】図１に示す梱包用台座に被梱包体を載置した状態を示す断面図。
【符号の説明】
２：梱包用台座
４：トレイ
６：コーナーパッド
８：開口部
１０：規制部材
１２：緩衝材
２６：筒状部
２８：筒状部
３２：切欠部
３４：連結手段
３６：連結手段
３８：屈曲部
【図１】
2004244049.tif 000003
【図２】
2004244049.tif 000004
【図３】
2004244049.tif 000005